(57)【要約】【課題】列車無線の検査結果に問題があった場合、即座に現地の状況を把握することができる列車無線検測装置を得る。【解決手段】検測車１の前後の２箇所に監視カメラ８を設け、これら２台の監視カメラ８の画像を画像記録装置９に記録するように構成する。検測車走行中は、沿線の画像を常時、画像記録装置９に記録し、記録した画像を表示装置６で見ることができるので、列車無線の検査結果に問題があった場合、即座に現地の状況を把握することができる。【選択図】　　　　図１
2004048482.tif 000002
【特許請求の範囲】
【請求項１】
列車無線の回線品質を測定する測定手段と、
上記測定手段からの測定データに応じて回線品質の良否判定を行う処理手段と、
列車に取り付けられた画像監視手段と、
上記処理手段からの測定データおよび良否判定結果を位置情報と共に記録すると共に、上記画像監視手段からの画像を記録する記録手段とを備えた列車無線検測装置。
【請求項２】
記録手段は、
処理手段により回線品質の良否判定結果に問題があると判定した場合にだけ、画像監視手段からの画像を記録することを特徴とする請求項１記載の列車無線検測装置。
【請求項３】
記録手段に記録された測定データ、良否判定結果、位置情報、および画像を出力する出力手段を備えたことを特徴とする請求項１または請求項２記載の列車無線検測装置。
【発明の詳細な説明】
【０００１】
【発明の属する技術分野】
この発明は、列車無線の回線品質を走行しながら測定する列車無線検測装置に関するものである。
【０００２】
【従来の技術】
図５は従来の列車無線検測装置を示す構成図であり、図において、１は検測車、２は検測車１に搭載された列車無線検測装置、３〜７は列車無線検測装置２の構成品である。３は列車無線の回線品質を測定する測定器、４は測定器３の測定データの良否判定等を行う処理装置、５は処理装置４からの測定データおよび良否判定結果を位置情報と共に記録するデータ記録装置、６はデータ記録装置５に記録されている測定データおよび良否判定結果を位置情報と共に表示する表示装置、７はデータ記録装置５に記録されている測定データおよび良否判定を位置情報と共に印字する印字装置である。
【０００３】
次に動作について説明する。
鉄道沿線を走行しながら各種の検査を行なう検測車１に搭載して列車無線の回線品質を検査する列車無線検測装置２において、測定器３は、回線品質を測定する。処理装置４は、測定器３からの測定データを良否判定すると共に、測定データと良否判定結果とを位置情報と共にデータ記録装置５に書き込む。さらに、処理装置４は、データ記録装置５に書き込んだ測定データおよび良否判定結果を位置情報と共に即座に表示装置６に表示し、検査員は、表示装置６を見ることで検査結果を確認することができる。また、検査員は、処理装置４を操作することで、データ記録装置５に記録されている過去の測定データおよび良否判定結果を位置情報と共に表示装置６に表示させたり、印字装置７に印字させたりすることもできる。
【０００４】
【発明が解決しようとする課題】
従来の列車無線検測装置は以上のように構成されているので、列車無線の検査結果に問題があった場合、同時に記録している位置情報を基に、後日現地調査を実施する必要があり、対応に時間が掛かってしまうなどの課題があった。
【０００５】
この発明は上記のような課題を解決するためになされたもので、列車無線の検査結果に問題があった場合、即座に現地の状況を把握することができる列車無線検測装置を得ることを目的とする。
【０００６】
【課題を解決するための手段】
この発明に係る列車無線検測装置は、列車に取り付けられた画像監視手段と、処理手段からの測定データおよび良否判定結果を位置情報と共に記録すると共に、画像監視手段からの画像を記録する記録手段とを備えたものである。
【０００７】
この発明に係る列車無線検測装置は、記録手段において、処理手段により回線品質の良否判定結果に問題があると判定した場合にだけ、画像監視手段からの画像を記録するようにしたものである。
【０００８】
この発明に係る列車無線検測装置は、記録手段に記録された測定データ、良否判定結果、位置情報、および画像を出力する出力手段を備えたものである。
【０００９】
【発明の実施の形態】
以下、この発明の実施の一形態を説明する。
実施の形態１．
図１はこの発明の実施の形態１による列車無線検測装置を示す構成図であり、図において、１は検測車、２は検測車１に搭載された列車無線検測装置、３〜９は列車無線検測装置２の構成品である。３は列車無線の回線品質を測定する測定器（測定手段）、４ａは測定器３の測定データの良否判定等を行う処理装置（処理手段）、５は処理装置４ａからの測定データおよび良否判定結果を位置情報と共に記録するデータ記録装置（記録手段）、６はデータ記録装置５に記録されている測定データおよび良否判定結果を位置情報と共に表示する表示装置（出力手段）、７はデータ記録装置５に記録されている測定データおよび良否判定結果を位置情報と共に印字する印字装置（出力手段）、８は検測車１の前後に取り付けられた監視カメラ（画像監視手段）、９は前後２箇所の監視カメラ８の画像を記録する画像記録装置（記録手段）である。画像記録装置９に記録した画像は表示装置６で表示することができる。
【００１０】
次に動作について説明する。
鉄道沿線を走行しながら各種の検査を行う検測車１に搭載して列車無線の回線品質を検査する列車無線検測装置２において、測定器３は、無線回線品質を測定する。処理装置４ａは、測定器３からの測定データを良否判定すると共に、測定データと良否判定結果とを位置情報と共にデータ記録装置５に書き込む。さらに、処理装置４ａは、データ記録装置５に書き込んだ測定データおよび良否判定結果を位置情報と共に即座に表示装置６に表示し、検査員は、表示装置６を見ることで検査結果を確認することができる。また、検査員は、処理装置４ａを操作することで、データ記録装置５に記録されている過去の測定データおよび良否判定結果を位置情報と共に表示装置６に表示させたり、印字装置７に印字させたりすることもできる。
また、検測車１が走行中の場合は、監視カメラ８からの沿線画像を常時、画像記録装置９に記録させ、記録した画像は、表示装置６で見ることができる。
【００１１】
以上のように、この実施の形態１によれば、検測車１の前後の２箇所に監視カメラ８を設け、これら２台の監視カメラ８の画像を画像記録装置９に記録するように構成したので、検測車走行中は、沿線の画像を常時、画像記録装置９に記録し、記録した画像を表示装置６で見ることができるので、列車無線の検査結果に問題があった場合、即座に現地の状況を把握することができる。
【００１２】
実施の形態２．
図２はこの発明の実施の形態２による列車無線検測装置を示す構成図であり、図において、４ｂは測定器３からの測定データを良否判定すると共に、測定データおよび良否判定結果を位置情報と共にデータ記録装置５に通知し、良否判定結果を画像記録装置９ａに通知する処理装置（処理手段）。９ａは良否判定で問題があった場合に、その地点の前後の画像のみを切り出して画像記録領域の別領域に記録する画像記録装置（記録手段）である。その他の構成については、図１と同等である。
【００１３】
次に動作について説明する。
上記実施の形態１では、沿線の画像を画像記録装置９で常時記録する場合について説明したが、検査結果に問題があった場合、その地点の前後の画像のみを切り出して画像記録装置９ａの別領域に記録し、その画像も表示装置６で見ることができるようにしても良い。
以下、図２において、追加動作のみ説明する。処理装置４ｂは、測定器３からの測定データを良否判定すると共に、良否判定結果を画像記録装置９ａにも通知する。画像記録装置９ａは、良否判定で問題があった場合、その地点の前後の画像のみを切り出して画像記録領域の別領域に記録する。常時記録した沿線画像および良否判定で問題があった時に切り出して記録した画像は、表示装置６で見ることができる。
このように、画像記録装置９ａに記録された列車無線の良否判定結果に問題があった時点の画像を再生することにより、極めて即座に現地の状況を把握することができる。
【００１４】
実施の形態３．
図３はこの発明の実施の形態３による列車無線検測装置を示す構成図であり、図において、４ｃは測定器３からの測定データを良否判定すると共に、測定データおよび良否判定結果を位置情報と共にデータ記録装置５ａに通知し、良否判定結果を画像記録装置９ａに通知し、さらに、監視カメラ８の画像をデータ記録装置５ａに記録させる処理装置（処理手段）、５ａは処理装置４ｃからの測定データ、良否判定結果、位置情報、および監視カメラ８の画像を記録するデータ記録装置（記録手段）である。その他の構成については、図１と同等である。
【００１５】
次に動作について説明する。
上記実施の形態１および実施の形態２では、沿線の画像を画像記録装置９または９ａに記録する場合について説明したが、画像記録装置を設けずデータ記録装置５ａに同様の機能を設けても良く、装置を安価に構成できると共に、実施の形態１および実施の形態２と同様の効果を奏することができる。
図３において、鉄道沿線を走行しながら各種の検査を行う検測車１に搭載して列車無線の回線品質を検査する列車無線検測装置２において、測定器３は、無線回線品質を測定する。処理装置４ｃは、測定器３からの測定データを良否判定すると共に、測定データと良否判定結果を位置情報と共にデータ記録装置５ａに書き込む。さらに、処理装置４ｃは、データ記録装置５ａに書き込まれた測定データおよび良否判定結果を位置情報と共に即座に表示装置６に表示し、検査員は、表示装置６を見ることで検査結果を確認することができる。また、検査員は、処理装置４ｃを操作することで、データ記録装置５ａに記録されている過去の測定データおよび良否判定結果を位置情報と共に表示装置６に表示することもできるし、印字装置７に印字することもできる。
検測車１が走行中の場合は、監視カメラ８からの沿線画像を常時、処理装置４ｃを介してデータ記録装置５ａに記録し、記録した画像は、表示装置６で見ることができるようにする。
さらに、処理装置４ｃは、測定器３からの測定データを良否判定すると共に、良否判定で問題があった場合、その地点の前後の画像のみを切り出してデータ記録装置５ａの別領域に記録する。常時記録した沿線画像および良否判定で問題があった時に切り出して記録した画像は、表示装置６で見ることができる。
【００１６】
実施の形態４．
図４はこの発明の実施の形態４による列車無線検測装置を示す構成図であり、図において、９ｂは検測車１の前または後のどちらか一方のみに設けられた監視カメラ８からの画像を記録する画像記録装置（記録手段）である。その他の構成については、図１と同等である。
【００１７】
次に動作について説明する。
上記実施の形態１、実施の形態２および実施の形態３では、監視カメラ８を検測車１の前後に取り付けた場合について説明したが、監視カメラ８は検測車１の前または後のどちらか一方のみに設けても良く、装置を安価に構成できると共に実施の形態１および実施の形態２と同様の効果を奏することができる。
図４おいて、動作は実施の形態１と同一であり省略する。
【００１８】
【発明の効果】
以上のように、この発明によれば、列車に取り付けられた画像監視手段と、処理手段からの測定データおよび良否判定結果を位置情報と共に記録すると共に、画像監視手段からの画像を記録する記録手段とを備えるように構成したので、列車無線の良否判定結果に問題があった場合に、記録手段に記録された画像から即座に現地の状況を把握することができる効果がある。
【００１９】
この発明によれば、記録手段において、処理手段により回線品質の良否判定結果に問題があると判定した場合にだけ、画像監視手段からの画像を記録するように構成したので、記録手段には、列車無線の良否判定結果に問題があった時点の画像しか記録されていないことから、列車無線の良否判定結果に問題があった場合に、極めて即座に現地の状況を把握することができる効果がある。
【００２０】
この発明によれば、記録手段に記録された測定データ、良否判定結果、位置情報、および画像を出力する出力手段を備えるように構成したので、列車無線の良否判定結果に問題があった場合に、出力手段から各種情報を出力させることによって、即座に現地の状況を把握することができる効果がある。
【図面の簡単な説明】
【図１】この発明の実施の形態１による列車無線検測装置を示す構成図である。
【図２】この発明の実施の形態２による列車無線検測装置を示す構成図である。
【図３】この発明の実施の形態３による列車無線検測装置を示す構成図である。
【図４】この発明の実施の形態４による列車無線検測装置を示す構成図である。
【図５】従来の列車無線検測装置を示す構成図である。
【符号の説明】
１　検測車、２　列車無線検測装置、３　測定器（測定手段）、４ａ〜４ｃ　処理装置（処理手段）、５，５ａ　データ記録装置（記録手段）、６　表示装置（出力手段）、７　印字装置（出力手段）、８　監視カメラ（画像監視手段）、９，９ａ，９ｂ　画像記録装置（記録手段）。
【図１】
2004048482.tif 000003
【図２】
2004048482.tif 000004
【図３】
2004048482.tif 000005
【図４】
2004048482.tif 000006
【図５】
2004048482.tif 000007